(57)【特許請求の範囲】
【請求項１】
光ファイバ（１２）を別の光ファイバ（１６、１７、５０）とコネクタ接続可能に成端する光コネクタ（２２）が作業空間（１３）側の側部に設けられた光モジュール（２１）を前記作業空間側に引出可能に収納する光モジュール収納ユニットであって、
複数の前記光モジュールを、各光モジュールの前記光コネクタが配列されるようにして、しかも、前記作業空間側に引出可能として所定の収納位置に配列収納するモジュール収納部（２０、４２）と、
このモジュール収納部内の所定の収納位置から引出方向側へずれた位置にて前記モジュール収納部に収納された前記光モジュールを、モジュール収納部に対する押し込み、引き出しのいずれの方向にも移動しないように支持するためのモジュール支持部（２３、４１）とを備え、
前記モジュール支持部は、光モジュールに突設されている鍔部（２１ｂ）の拘束又は前記光モジュールから突設されている回転自在のラッチ（４５）の係合によって、押し込み、引き出しのいずれの方向にも移動しないように支持できる構成であり、
前記モジュール支持部に前記光モジュールを支持することで、接続作業の対象の光モジュールの光コネクタが、前記モジュール収納部の所定の収納位置に収納された光モジュールの光コネクタよりも作業空間側へ突き出した状態にて、前記光コネクタに対する作業空間側からの前記光ファイバのコネクタ接続作業を行え、
しかも、前記モジュール支持部を、光モジュールに突設されている鍔部（２１ｂ）との接触を回避する退避位置に退避させるか、あるいは、光モジュールから突設されている前記ラッチを前記モジュール支持部との係合を回避する待機位置に位置させて、前記モジュール支持部による光モジュールの支持を解除することで、前記モジュール支持部による光モジュールの支持位置から、前記モジュール収納部に対する挿入方向又は引出方向への光モジュールの移動が可能となることを特徴とする光モジュール収納ユニット（１０ａ、４０）。
【請求項２】
前記モジュール収納部内の所定の収納位置に収納した光モジュールを固定する固定手段を備え、前記固定手段は、前記光モジュールから突設されているラッチ（４５）と、前記モジュール収納部内の所定の収納位置に収納した光モジュールの前記ラッチが係脱自在に係合されることで、前記光モジュールを固定して引き出しを規制するモジュール台（２０ａ）側の係合片（２０ｇ）とから構成され、前記ラッチの前記係合片に対する係合を解除することで前記光モジュールの引き出しが可能になることを特徴する請求項１記載の光モジュール収納ユニット。
【請求項３】
前記光モジュールは、前記モジュール収納部からの引出方向先端に前記光コネクタを備えるとともに、この光コネクタ近傍にて前記引出方向に垂直な両側または片側に存在する側面に該光モジュールによって接続される光ファイバの種類等の情報を示す表示（３３、４９）を備え、
前記光モジュールを、前記モジュール収納部内の所定の収納位置から引出方向側へずれた収納位置に、前記モジュール支持部によって支持可能に配置したときに、前記表示が前記モジュール収納部の外側から視認可能であることを特徴とする請求項１又は２記載の光モジュール収納ユニット。
【発明の詳細な説明】
【０００１】
【発明の属する技術分野】
本発明は、光ファイバを別の光ファイバとコネクタ接続可能に成端する光コネクタが側部に設けられた光モジュールを引出可能に収納する光モジュール収納ユニットに関するものである。
【０００２】
【従来の技術】
例えば、光配線盤等にあっては、外観薄板ケース状の光モジュールを用い、この光モジュールの側部に取り付けられた光コネクタによって光ファイバをコネクタ接続可能に成端するとともに、光ファイバの余長を前記光モジュール内に収納する構成が提案されている。
【０００３】
図１８（ａ）、（ｂ）は、光モジュールを用いた光配線盤の一例を示す図であって、（ａ）は正面図、（ｂ）は側断面図である。
図１８（ａ）、（ｂ）中、符号１は光配線盤、２はモジュール収納部、３は光モジュールである。
図１８（ａ）、（ｂ）において、光配線盤１に設けられたモジュール収納部２には、外観薄板ケース状の光モジュール３が縦置きにして横並びに複数配列収納されている。各光モジュール３は、モジュール収納部２に引き込まれた光ファイバ４の余長を収納するとともに、その側部に取り付けられた光コネクタ５（光コネクタアダプタ）によって前記光ファイバ４をコネクタ接続可能に成端するようになっている。各光モジュール３の光コネクタ５は、モジュール収納部２の側部の作業面側（図１８（ｂ）中左側）に向けられており、この作業面側に引き込まれた光ファイバ６が前記光コネクタ５にコネクタ接続されることで、光ファイバ４、６同士が接続されるようになっている。光ファイバ６は、先端が光コネクタ７（光コネクタプラグ）によってコネクタ接続可能に成端されており、モジュール収納部２に収納された各光モジュール３の光コネクタ５に対して着脱自在とされることが普通であり、光コネクタ５に対する光コネクタ７の接続を切り替えることで、光ファイバ４に対して切替接続される。
【０００４】
【発明が解決しようとする課題】
ところで、図１８の光配線盤１では、光モジュール３の光コネクタ５に対する光ファイバ６の接続作業は、各光モジュール３をモジュール収納部２の所定の収納位置に収納した状態で行うことが一般的であり（通常、モジュール収納部２の最奥部に光モジュール３を突き当てて収納する）、モジュール収納部２の作業面側の一定領域８（以下「コネクタ配列領域８」）に各光モジュール３の光コネクタ５が揃った状態で行われる。このため、前述の接続作業は、コネクタ配列領域８近傍の多数本の光ファイバ６が高密度に配線される領域にて行うこととなり、例えば、活線状態の光ファイバ６に触れて光通信の瞬断を生じさせたり、場合によっては光ファイバ６を折り曲げて傷めてしまうといった不都合が生じやすいといった問題があった。また、光ファイバ６との接触を回避しつつ接続作業を進めるのでは、作業能率が低下するといった不満もある。
さらに、前述の接続作業では、光ファイバ４、６同士を正しく接続する必要があるが、前述のように、コネクタ配列領域８近傍に多数本の光ファイバ６が配線されていると、回線の確認がしにくくなり、誤接続の原因となる。これに鑑みて、例えば、光モジュール３のコネクタ取付面３ａに回線番号等を示す表示を設けることも提案されているが、高密度実装型の光配線盤１では、モジュール収納部２にて接続される光ファイバ４、６の心数が多く、コネクタ配列領域８近傍に配線される光ファイバ６もさらに増大するため、前記表示が見えにくくなる上、前記表示を確認するために光ファイバ６を掻き分ける際に光ファイバ６を傷める可能性があり、前記問題の根本的な解決に至らない。
なお、前述の問題は、光ファイバ６の接続作業に限定されず、光ファイバの切替作業、光ファイバの撤去作業等でも共通である。また、光モジュールを複数収納する構成であれば、光配線盤以外、例えば光接続箱等でも、前記問題は同様に生じる。
【０００５】
本発明は、前述の課題に鑑みてなされたもので、モジュール収納部内の所定の収納位置から引出方向にずれた位置に配置された光モジュールをモジュール支持部で支持することで、周囲の光ファイバとの干渉等を回避して光ファイバの接続、切替接続等の作業を効率良く行うことができる光モジュール収納ユニットを提供することを目的とするものである。
【０００６】
【課題を解決するための手段】
本発明は、前記課題を解決するため、以下の構成を採用した。
請求項１記載の発明は、光ファイバを別の光ファイバとコネクタ接続可能に成端する光コネクタが作業空間側の側部に設けられた光モジュールを前記作業空間側に引出可能に収納する光モジュール収納ユニットであって、複数の前記光モジュールを、各光モジュールの前記光コネクタが配列されるようにして、しかも、前記作業空間側に引出可能として所定の収納位置に配列収納するモジュール収納部と、このモジュール収納部内の所定の収納位置から引出方向側へずれた位置にて前記モジュール収納部に収納された前記光モジュールを、モジュール収納部に対する押し込み、引き出しのいずれの方向にも移動しないように支持するためのモジュール支持部とを備え、前記モジュール支持部は、光モジュールに突設されている鍔部の拘束又は前記光モジュールから突設されている回転自在のラッチの係合によって、押し込み、引き出しのいずれの方向にも移動しないように支持できる構成であり、前記モジュール支持部に前記光モジュールを支持することで、接続作業の対象の光モジュールの光コネクタが、前記モジュール収納部の所定の収納位置に収納された光モジュールの光コネクタよりも作業空間側へ突き出した状態にて、前記光コネクタに対する作業空間側からの前記光ファイバのコネクタ接続作業を行え、しかも、前記モジュール支持部を、光モジュールに突設されている鍔部との接触を回避する退避位置に退避させるか、あるいは、光モジュールから突設されている前記ラッチを前記モジュール支持部との係合を回避する待機位置に位置させて、前記モジュール支持部による光モジュールの支持を解除することで、前記モジュール支持部による光モジュールの支持位置から、前記モジュール収納部に対する挿入方向又は引出方向への光モジュールの移動が可能となることを特徴とする光モジュール収納ユニット。
請求項２記載の発明は、請求項１記載の光モジュール収納ユニットにおいて、前記モジュール収納部内の所定の収納位置に収納した光モジュールを固定する固定手段を備え、前記固定手段は、前記光モジュールから突設されているラッチと、前記モジュール収納部内の所定の収納位置に収納した光モジュールの前記ラッチが係脱自在に係合されることで、前記光モジュールを固定して引き出しを規制するモジュール台側の係合片とから構成され、前記ラッチの前記係合片に対する係合を解除することで前記光モジュールの引き出しが可能になることを特徴する。
請求項３記載の発明は、請求項１又は２記載の光モジュール収納ユニットにおいて、前記光モジュールは、前記モジュール収納部からの引出方向先端に前記光コネクタを備えるとともに、この光コネクタ近傍にて前記引出方向に垂直な両側または片側に存在する側面に該光モジュールによって接続される光ファイバの種類等の情報を示す表示を備え、前記光モジュールを、前記モジュール収納部内の所定の収納位置から引出方向側へずれた収納位置に、前記モジュール支持部によって支持可能に配置したときに、前記表示が前記モジュール収納部の外側から視認可能であることを特徴とする。
なお、光モジュール収納ユニットとしては、光配線盤、光成端箱、光分岐接続箱等、各種構成が採用可能である。
【０００７】
【発明の実施の形態】
（第１実施形態）
以下、本発明の第１実施形態を図面を参照して説明する。
本実施形態では、光配線盤への適用例を説明する。
図１は光配線盤１０を示す全体図、図２は光配線盤１０に搭載される光モジュール収納ユニット１０ａを示す正面図、図３は図２の光モジュール収納ユニット１０ａの平面図、図４は図２の光モジュール収納ユニット１０ａを示す側面図である。
【０００８】
図１において、光配線盤１０は、光モジュール収納ユニット１０ａを多段に複数収納した架体であり、光ファイバケーブル１１から口出しした光ファイバ１２を、各光モジュール収納ユニット１０ａに収納された光モジュール２１（図２、図３、図４参照）に取り付けられた光コネクタ２２によってコネクタ接続可能に成端するようになっている。図２、図３、図４に示すように、光モジュール収納ユニット１０ａは、外観薄板ケース状の光モジュール２１を縦置き横並びに複数配列させて収納するモジュール収納部２０を備えている（図２、図３では光モジュール２１の収納位置を仮想線で示した）。モジュール収納部２０は、具体的には、光モジュール２１が縦置きに載置されるモジュール台２０ａと、このモジュール台２０ａの上方に設置された上部プレート３０と、この上部プレート３０の上に設置されたモジュール支持部２３とを備え、前記モジュール台２０ａと前記上部プレート３０との間のモジュール収納空間２０ｓ内に光モジュール２１を収納するようになっている。上部プレート３０は、モジュール収納部２０の正面視左右の側板２４ａ、２４ｂ間に架設され、モジュール台２０ａの上面２０ｅとほぼ平行になっている。
【０００９】
このモジュール収納部２０に収納された光モジュール２１は、モジュール台２０ａ上をスライド移動することでモジュール収納部２０側部に確保された作業空間１３側へ引き出し可能になっている。なお、モジュール収納部２０では、モジュール台２０ａに形成されたガイド溝２０ｂに、光モジュール２１から突設されたガイド片２１ａが挿入され、また、上部プレート３０に形成されたガイド溝３１に光モジュール２１から突設された鍔部２１ｂが挿入されるから、このモジュール収納部２０に挿入された光モジュール２１はぐらつくことなく安定な縦置き状態が維持される。また、モジュール収納部２０に挿入された光モジュール２１は、モジュール台２０ａおよび上部プレート３０の前記ガイド溝２０ｂ、３１にガイドされつつモジュール台２０ａ上をスライド移動することで、作業空間１３側からの収納、作業空間１３側への引き出しが行われる。なお、モジュール台２０ａおよび上部プレート３０の前記ガイド溝２０ｂ、３１は、互いに平行になっていることは言うまでもない。
【００１０】
前記光ファイバ１２は、光モジュール収納ユニット１０ａの側部にて光ファイバケーブル１１から口出しされ、各光モジュール収納ユニット１０ａの上部の光ファイバ配線棚１４に配線され、この光ファイバ配線棚１４から目的の光モジュール２１へ引き落とされるようになっている。光モジュール２１に引き込まれた光ファイバ１２は、該光モジュール２１内側から当該光モジュール２１の側部に取り付けられた光コネクタ２２（光コネクタアダプタ）に接続されることで、この光コネクタ２２によってコネクタ接続可能に成端されるとともに、余長が光モジュール２１内に湾曲収納される。
【００１１】
前記モジュール収納部２０に収納された各光モジュール２１の光コネクタ２２は全て作業空間１３側に向けられる。各光コネクタ２２には、別途光配線盤１０に引き込まれた光ファイバケーブル１５（図１参照）から口出しされた光ファイバ１６や、光コネクタ２２間を接続するジャンパ用光ファイバ１７等が切替可能にコネクタ接続される。光ファイバ１６は、いずれも光コネクタ１６ａ、１７ａによってコネクタ接続可能に成端されており、光モジュール２１側の光コネクタ２２に対する光コネクタ１６ａ、１７ａの接続を切り替えることで、これら光ファイバ１６、１７が光ファイバ１２に対して切替接続される。
【００１２】
光モジュール２１の光コネクタ２２にコネクタ接続される光ファイバとしては、前記光ファイバ１６、１７に限定されず、例えば、線路監視装置との接続用の光ファイバや、光配線盤間の渡り配線等であっても良い。以下、光モジュール２１の光コネクタ２２にコネクタ接続される光ファイバを「光ファイバ５０」、この光ファイバ５０先端の光コネクタ（光コネクタ１６ａ、１７ａ等）を「光コネクタ５０ａ」として総称する。なお、光ファイバ５０としては、例えば、単心または多心の光ファイバ心線、光ファイバコード等、各種構成が採用可能である。また、光ファイバ５０先端の光コネクタ５０ａとしては、例えば、ＪＩＳ  Ｃ  ５９７３に制定されるＳＣ形光コネクタ（Ｓｉｎｇｌｅ  ｆｉｂｅｒ  Ｃｏｕｐｌｉｎｇ  ｏｐｔｉｃａｌ  ｆｉｂｅｒ  ｃｏｎｎｅｃｔｏｒ）、ＪＩＳ  Ｃ  ５９８３に制定されるＭＵ形光コネクタ（Ｍｉｎｉａｔｕｒｅ−Ｕｎｉｔ  ｃｏｕｐｌｉｍｇ  ｏｐｔｉｃａｌ  ｆｉｂｅｒ  ｃｏｎｎｅｃｔｏｒ）等の光コネクタプラグが採用される。多心の場合では、ＪＩＳ  Ｃ  ５９８２に制定されるＭＰＯ形光コネクタ（Ｍｕｌｔｉｆｉｂｅｒ  Ｐｕｓｈ  Ｏｎ）等が採用される。これら光コネクタ５０ａの種類に対応して、光モジュール２１側の光コネクタ２２としても、適宜、光コネクタ５０ａに適合するものを採用することは言うまでも無い。
【００１３】
図１に示すように、光コネクタ２２に接続される光ファイバは、光配線盤１０側部に確保された光ファイバ収納部１８から目的の光モジュール収納ユニット１０ａに配線されるとともに、前記光ファイバ収納部１８内にて湾曲配線することで余長が吸収される。
なお、図１中、１９ａ、１９ｂはクランプであり、光ファイバ収納部１８から光モジュール収納ユニット１０ａに引き込まれる光ファイバ５０をクランプ保持する。
【００１４】
図２〜図４において、光モジュール収納ユニット１０ａに引き込まれた光ファイバ５０は、モジュール台２０ａの作業空間１３側に設置されたダクト２０ｃに収納され、このダクト２０ｃから上方に立ち上げられて、目的の光モジュール２１の光コネクタ２２にコネクタ接続される。光モジュール２１の光コネクタ２２には複数本の光ファイバ５０が接続可能であり（図４では８本）、しかも、前記光コネクタ５０は１つの光モジュール２１について複数（図４では２つ）設置されており、図４の例では、同一の光モジュール２１に対しては最大１６本の光ファイバ５０が接続される。同一の光モジュール２１に接続される光ファイバ５０は、モジュール台２０ａと前記ダクト２０ｃとの間に立設された支持壁４３からダクト２０ｃ上に突設されたクランプ２０ｄによって一括保持される。クランプ２０ｄは、光モジュール２１単位で光ファイバ５０を保持するようになっている。
なお、光モジュール２１の光コネクタの対応心数、光コネクタに接続可能な光ファイバ５０の本数、光モジュール２１に設置される光コネクタの数等は適宜変更可能であることは言うまでも無い。
【００１５】
モジュール収納部２０の上部に設置されたモジュール支持部２３は、図２〜図４においてはモジュール収納部２０の正面視左右両側の側板２４ａ、２４ｂ間に架け渡すようにして配置されたストッパ部材２３ａを主体として構成されている。ストッパ部材２３ａは、具体的には、細長プレート状であり、幅方向（長手方向に垂直の方向）に延びるスリット２３ｂが長手方向に複数連設されている（図３参照）。このスリット２３ｂは光モジュール２１の上端に突設された鍔部２１ｂを収納可能な形状であり、各スリット２３ｂの位置は、モジュール台２０ａ上に配列収納される光モジュール２１の収納位置に一致しているから、モジュール収納部２０に収納された光モジュール２１の鍔部２１ｂがストップ部材２３ａの直下に配置されれば、後述のモジュール支持部２３の回転操作により、前記スリット２３ｂに鍔部２１ｂを収納できる。
【００１６】
前記ストッパ部材２３ａの長手方向両端部に設けられた取付部２３ｃは、側板２４ａ、２４ｂに固定されたブラケット２５に対してそれぞれピン２６によって軸支されており、このピン２６を中心とする回転によって、モジュール支持部２３全体がほぼ水平な回転軸線を以って回転するようになっている。前記ピン２６はブラケット２５に取り付けられており、前記モジュール支持部２３は取付部２３ｃから前記作業空間１３とは逆の方向へ突出された枢着端部２３ｄが前記ピン２６に軸支されており、モジュール支持部２３の回転軸線はストッパ部材２３ａを介して作業空間１３と逆側に位置するため、結局、モジュール支持部２３の回転は、ピン２６を中心とするストッパ部材２３ａの昇降変位となる。
【００１７】
前記取付部２３ｃには、前記ブラケット２５側に取り付けられた二つのピン２６、２７が個別に挿入される二つの穴（長穴２８、ガイド穴２９）を備え、これら穴２８、２９の範囲でピン２６、２７に対して移動できる。一方のピン２６は、前記モジュール支持部２３のストッパ部材２３ａにほぼ沿って延在形成された長穴２８に挿入され、他方のピン２７は、前記長穴２８よりも作業空間１３側にて前記取付部２３ｃにコ字状に形成されたガイド穴２９に挿入されている。例えば、図５（ａ）〜（ｃ）に示すように、前記ガイド穴２９は、前記長穴２８と略平行な長穴２９ａと、この長穴２９ａの長手方向両端から該長穴２９ａに対してほぼ垂直にストッパ部材２３ａに向けて（図５（ａ）〜（ｃ）ではほぼ上方）延びる垂直穴２９ｂ、２９ｃとを備えている。
【００１８】
図４および図５（ａ）〜（ｃ）に示すように、モジュール支持部２３を移動すると、ピン２７に対するガイド穴２９の収納位置を変更できる。前記モジュール支持部２３を作業空間１３に対する進退方向（図４左右）に移動すると、両ピン２６、２７の収納位置が長穴２８、２９ｂに沿って移動する。モジュール支持部２３は、ピン２７をいずれかの垂直穴２９ｂ、２９ｃに収納することで、ピン２６を中心とする回転が可能となる。但し、モジュール支持部２３の回転範囲は、垂直穴２９ｂ、２９ｃの長穴２９ａからの延出方向の寸法によって決まる。垂直穴２９ｂに比べて垂直穴２９ｃの方が、長穴２９ａからの延出方向の寸法が大きいので、ピン２７を垂直穴２９ｂに挿入したときよりも、垂直穴２９ｃに挿入したときの方がモジュール支持部２３の可動範囲が大きく、垂直穴２９ｃに挿入したときの方がモジュール支持部２３がより下方まで回転される。
なお、図２〜図５（ａ）、（ｂ）、（ｃ）中、ブラケット２５の側部に設けられているストッパ２５ａは、モジュール支持部２３の取付部２３ｃから突設された当接部２３ｅが上方から当接されることで、モジュール支持部２３の下方への回転限界位置を設定するようになっている。
【００１９】
モジュール収納部２０（詳細にはモジュール収納空間２０ｓ）に光モジュール２１を収納するには、図５（ａ）〜（ｃ）の手順にてモジュール支持部２３のストッパ部材２３ａを上方へ回転して光モジュール２１の鍔部２１ｂと接触しない位置に退避させ、図６に示す状態にしてから、光モジュール２１をモジュール収納部２０のモジュール収納空間２０ｓに挿入する。
光モジュール２１は、モジュール台２０ａのガイド溝２０ｂにガイド片２１ａを挿入し、前記上部プレート３０のガイド溝３１に鍔部２１ｂを挿入して、モジュール台２０ａ上をスライドさせるようにしてモジュール収納部２０に挿入し、モジュール収納部２０に設けられている挿入方向ストッパ２０ｆに突き当たったところで挿入を停止する。これにより、光モジュール２１は、モジュール収納部２０内の所定の収納位置（以下も図４中仮想線の位置を「所定の収納位置」として説明）に収納される。なお、モジュール台２０ａや上部プレート３０のガイド溝２０ｂ、３１は、いずれも、これらモジュール台２０ａや上部プレート３０の作業空間１３側の端部に開口しているので、これらガイド溝２０ｂ、３０にガイド片２１ａや鍔部２１ｂを位置決めしてモジュール収納空間２０ｓへ光モジュール２１を押し込むだけで、ガイド溝２０ｂ、３０にガイド片２１ａや鍔部２１ｂを簡単に挿入できる。
【００２０】
図５（ａ）〜（ｃ）に示すように、モジュール支持部２３は、まず、ピン２６を中心とする上方への回転によって、垂直穴２９ｃに収納されているピン２７を長穴２９ａへ移動させ（図５（ａ）参照）、次いで、作業空間１３とは逆の方向、つまり、モジュール収納部２０への光モジュール２１の挿入方向前方へ向けて（図５（ａ）〜（ｃ）中右側）へのスライド移動によりピン２７を垂直穴２９ｂへ移動させ（図５（ｂ）参照）、次に、下に降ろすことで、垂直穴２９ｂの上端にピン２７を収納して、取付部２３ｃをピン２７に係合させる（図５（ｃ）、図６参照）。図４の状態では、垂直穴２９ｃの上端にピン２７が収納され、モジュール支持部２３側の当接部２３ｅがブラケット２５側のストッパ２５ａに当接されることでモジュール支持部２３の降下が規制され、ストッパ部材２３ａが上部プレート３０上に載置あるいは近接状態に位置決めされるが、図５（ｃ）および図６の状態では、垂直穴２９ｂの上端に収納されたピン２７に取付部２３ｃが係合することでモジュール支持部２３の降下が規制され、ストッパ部材２３ａは上部プレート３０から上方に離間した位置（退避位置）に支持される。モジュール収納部２０に収納された光モジュール２１の鍔部２１ｂは上部プレート３０の上方に突き出すようになっているが、ストッパ部材２３ａを前記退避位置に退避させておけば、鍔部２１ｂはストッパ部材２３ａと接触すること無く上部プレート３０のガイド溝３１に沿って自由に移動できる。
【００２１】
ストッパ部材２３ａの設置位置は、モジュール収納部２０の奥行き方向（図４中左右。モジュール収納部２０に対する光モジュール２１の挿入方向あるいは引出方向。つまりガイド溝２０ｂに沿った方向。）の中央部であり、モジュール収納部２０内の所定の収納位置に収納された光モジュール２１の後端部（光コネクタ２２の取り付け位置に対向する反対側の側部）から突設された前記鍔部２１ｂの作業空間１３側に隣接する位置であるから、所定の収納位置への光モジュール２１の挿入、収納では、モジュール支持部２３のストッパ部材２３ａを退避位置に退避させておくことで（図５（ｃ）の状態）、このストッパ２３ａに接触させること無く鍔部２１ｂを通過させて所定の収納位置に到達させることができる。
【００２２】
光モジュール２１の所定の収納位置への挿入が完了したら、今度は、図７（ａ）〜（ｃ）に示すように、図５（ａ）〜（ｃ）と逆の手順により、モジュール支持部２３を図４の状態に戻す。つまり、まず、図７（ａ）に示すように、モジュール支持部２３を上昇回転させて、ガイド穴２９におけるピン２７の収納位置を垂直穴２９ｂから長穴２９ａに移動し、次いで、図７（ｂ）に示すように、モジュール支持部２３を作業空間１３方向に移動して前記ピン２７の収納位置を垂直穴２９ｃへ移動し、次に、図７（ｃ）に示すように、モジュール支持部２３を降下させて図４の状態に至らしめる。図４の状態では、降下したストッパ部材２３ａが鍔部２１ｂの作業空間１３側に隣接配置されることによって、このストッパ部材２３ａが作業空間１３側への鍔部２１ｂの移動を規制するストッパとして機能する。このため、例えば、光コネクタ２２に接続されている光ファイバ５０に不用意に引張力等が作用しても、光モジュール２１がモジュール収納部２０から引き出されるといった不都合が生じない。また、光配線盤１０自体の移動（設置位置の変更）や、地震等に起因する光配線盤１０の傾斜が生じても、モジュール収納部２０から光モジュール２１が飛び出るといった心配が無い。
【００２３】
次に、光モジュール２１の光コネクタ２２に光ファイバ５０を接続する作業は、モジュール収納部２０に収納された光モジュール２１を若干引き出した状態、あるいは、モジュール収納部２０内の所定の収納位置に向けて挿入途中の状態の光モジュール２１を、モジュール支持部２３によって光モジュール２１をぐらつかないないように支持して行う。このため、接続作業の対象となる目的の光モジュール２１の光コネクタ２２が、所定の収納位置に収納された光モジュール２１の光コネクタ２２が配列されるコネクタ配列領域３２よりも作業空間１３側へ突き出した状態にて接続作業を行うこととなり、コネクタ配列領域３２近傍に多数本配線された光ファイバ５０との干渉を回避して接続作業を効率良く進めることができる。しかも、コネクタ配列領域３２の光コネクタ２２に接続された光ファイバ５０を傷めたり、活線状態の光ファイバ５０の光通信に悪影響を与えるといった不都合を防止できる。このことは、接続作業のみならず、光コネクタ２２に対する光ファイバ５０の切替接続、撤去等でも同様である。
【００２４】
図４に示す状態から、所定の収納位置に収納されている光モジュール２１の作業空間１３側への引き出しを開始すると、まず、図８に示すように、ストッパ部材２３ａの作業空間１３と対向する逆側の縁部を斜め上方に傾斜成形した部分である押上力受圧部２３ｆに光モジュール２１の鍔部２１ｂが当接し、この鍔部２１ｂが押上力受圧部２３ｆを押圧することで、ストッパ部材２３ａが次第に上方へ押し上げられるとともに、鍔部２１ｂは次第にストッパ部材２３ａの下面側に入り込んで行く（図８では、光モジュール２１の位置は、鍔部２１ｂが押上力寿圧部２３ｆに当接する位置。モジュール支持部２３は若干押し上げられた状態を示す）。そして、ストッパ部材２３ａの下面側に入り込んだ鍔部２１ｂがストッパ部材２３ａのスリット２３ｂに到達すると、このスリット２３ｂの領域に鍔部２１ｂ全体が収まると同時にモジュール支持部２３が落下してスリット２３ｂに鍔部２１ｂが収納され、図９に示す状態となる。このとき（図９の状態）、図１０（ａ）、（ｂ）に示すように、鍔部２１ｂがスリット２３ｂ内に拘束されるため、光モジュール２１はモジュール収納部２０への押し込み、引き出しのいずれの方向にも移動しないように支持される。また、光モジュール２１のガイド片２１ａがモジュール台２０ａのガイド溝２０ｂに挿入され、鍔部２１ｂが上部プレート３０のガイド溝３１に挿入されているので、光モジュール２１は、モジュール収納部２０への押し込み、引き出しの方向に対して垂直の方向の位置ずれ等を生じない。これにより、いわば、所定の収納位置とモジュール収納部２０から完全に引き出した状態との中間の収納位置（図９の位置。以下「中間位置」）に位置決めした光モジュール２１がモジュール支持部２３によって安定に支持されるため、この光モジュール２１の光コネクタ２２に対する光ファイバ５０の接続作業を効率良く行うことができる。
なお、光モジュール２１の引き出し寸法にもよるが、必要に応じて、クランプ２０ｄから光ファイバ５０を取り出しておき、光モジュール２１の引き出しに伴う急激な曲げ等によって光ファイバ５０を傷めないようにすることは言うまでも無い。
【００２５】
モジュール支持部２３によって前記中間位置に光モジュール２１を支持すると、前記光モジュール２１の、モジュール収納部２０からの引出方向に垂直な両側または片側に存在する側面の前記光コネクタ２２近傍、つまり前記光モジュール２１の厚さ方向一方または両方の側面の前記光コネクタ２２近傍に形成された表示３３が、作業空間１３から目視可能に露出される。図９等では光モジュール２１の厚さ方向一方の側面のみに形成された表示３３を示しているが、表示３３は光モジュール２１の厚さ方向反対側の側面にも形成することが可能である。前記表示３３は、この光モジュール２１によって成端される光ファイバ５０の回線番号、シングルモードやマルチモードといった光ファイバの種別等を表示するものであり、この表示３３を確認することで、光コネクタ２２に対する光ファイバ５０の接続作業を正確に効率良く行うことができる。光モジュール２１を中間位置に支持した際に露出される表示３３は、コネクタ配列領域３２近傍に配線された多数本の光ファイバ５０によって見えにくくなる等の影響を受けずらいため、容易に確認できる。しかも、表示３３を確認するために、光ファイバ５０を掻き分けるといった作業も不要となるため、光ファイバ５０を傷めたり、活線状態の回線の光通信にノイズを発生させる等の悪影響を防止できるといった利点がある。
【００２６】
表示３３の形成位置が、光モジュール２１の厚さ方向の一方または両方の側面であれば、作業対象の光モジュール２１の光コネクタ２２に接続された光ファイバ５０が表示３３の確認の邪魔にならず、しかも、光コネクタ２２が取り付けられている狭隘な光モジュール２１端面とは異なり十分な面積を確保できる光モジュール２１側面にて多くの情報を表示できるといった利点がある。光モジュール２１の引き出し寸法（所定の収納位置から中間位置までの距離）は、前記コネクタ配列領域３２近傍に配線されている光ファイバ５０を回避して表示３３を露出させ、モジュール収納部２０外側から前記表示３３の視認が可能となる大きさであり、少なくとも、コネクタ配列部３２近傍の特に高密度に光ファイバ５０が配線されている領域（以下「高密度配線領域３４」。図９参照）から作業空間１３側に前記表示３３が露出されるようにする。
なお、光モジュール２１の引き出し寸法は、表示３３の露出を考慮しない場合は、作業対象の目的の光モジュール２１の光コネクタ２２が高密度配線領域３４から作業空間１３側に突出する程度あれば良く、表示３３を露出させる場合よりも小さくて済み、コネクタ配列部３２から作業空間１３側へ少なくとも高密度配線領域３４と重ならない位置に光コネクタ２２が位置決めされるように中間位置を設定すれば良い。このことは、第１実施形態に限定されることではなく、本発明に係る各種構成に共通であり、例えば後述の第２実施形態でも共通である。
【００２７】
なお、光ファイバ５０の接続を終えて所定の収納位置に収納した光モジュール２１は、該光モジュール２１の下部から突設されているラッチ４５を、モジュール台２０ａ側の係合片２０ｇと係合することで固定される。ラッチ４５は係合片２０ｇに対して係脱自在であり、係合片２０ｇに対する係合を解除すると、光モジュール２１の引き出しが可能となる。ラッチ４５と係合片２０ｇとは、光モジュール２１を所定の収納位置に固定する固定手段を構成する。例えば、中間位置に引き出す目的の光モジュール２１のラッチ４５を操作して係合片２０ｇに対する係合を解除すると、この光モジュール２１のみが引き出し可能となるため、光モジュール２１が高密度に配列収納されているモジュール収納部２０においても引き出す光モジュール２１を間違えることを防止できる。この光モジュール２１の引き出し作業では、前記固定手段を構成するラッチ４５と係合片２０ｇとの間の係合が解除されている光モジュール２１のみ引き出し可能であり、つまり、光ファイバ５０の接続を完了していない光モジュール２１は前記固定手段による固定前であり引き出し可能であるが、一方、光ファイバ５０の接続を完了した光モジュール２１は前記固定手段により固定して引き出しを規制することから、光ファイバ５０の接続を完了していない光モジュール２１を引き出すことができる。また、光モジュール２１を中間位置に引き出す際には、モジュール支持部２３が上昇されて、引き出し方向へのストッパの役割を果たさなくなるが、前記固定手段により引き出し対象外の光モジュール２１の引き出しを規制しておくことで、例えば、引き出す目的の光モジュール２１との接触等により、引き出し対象外の光モジュール２１が一緒に引き出されたり、位置ずれを生じるといった不都合を確実に防止できる。
なお、ラッチ４５および係合片２０ｇの構成については、後述の第２実施形態でも詳述する。
【００２８】
光モジュール２１の光コネクタ２２に対する光ファイバ５０の接続が完了したら、モジュール支持部２３を上昇回転させて、モジュール支持部２３による光モジュール２１の支持を解除した後、光モジュール２１を挿入方向ストッパ２０ｆに突き当たるまでモジュール収納空間２０ｓ奥部へ押し込み、所定の収納位置に収納することで、接続作業に関する一連の工程が完了し、光ファイバ５０が目的位置に接続された光モジュール２１がモジュール収納部２０に収納される。
光コネクタ２２に対する光ファイバ５０の切替接続、撤去等の作業も全く同様に、中間位置に引き出した光モジュール２１をモジュール支持部２３で支持した後、光モジュール２１を、元の所定の収納位置に収納すれば良い（撤去の場合は、作業空間１３側に抜き出すこともある）。
【００２９】
この光モジュール収納ユニット１０ａでは、所定の収納位置から引き出した光モジュール２１を中間位置にてモジュール支持部２３によって保持して、光ファイバ５０の接続、切替接続、撤去等の作業を行う場合以外、所定の収納位置への挿入途中の光モジュール２１をモジュール支持部２３によって中間位置に支持して、光ファイバ５０の接続、切替接続等の作業を行った後、所定の収納位置に収納することも可能である。この場合でも、中間位置での光ファイバ５０の接続、切替接続等の作業が完了した後、光モジュール２１を所定の収納位置に収納する手順は、前述した、所定の収納位置から中間位置に引き出された光モジュール２１を所定の収納位置に再収納する場合と全く同様に行うことができる。
【００３０】
また、複数の光モジュール２１の光コネクタ２２間で光ファイバ５０の切替接続する場合では、作業を行う該当の光モジュール２１を中間位置にてモジュール支持部２３によって支持して、切替接続作業を行う。モジュール支持部２３のストッパ部材２３ａには、モジュール収納部２０内に収納される各光モジュール２１にそれぞれ対応してスリット２３ｂが形成されているので、各光モジュール２１の鍔部２１ｂをスリット２３ｂに収納することで、複数の光モジュール２１を同時に中間位置に支持することが可能である。この場合も、中間位置に支持された各光モジュール２１近傍では、コネクタ配列領域３２近傍に配線された光ファイバ５０との接触等を回避して、光コネクタ２２に対する光ファイバ５０の着脱作業を効率良く行うことができ、切替接続の作業性が向上する。しかも、中間位置に支持された各光モジュール２１の光コネクタ２２に接続された光ファイバ５０が、高密度配線領域３４から作業空間１３側に浮き上がった状態となるため、切替接続の対象となる光ファイバ５０の位置が判りやすくなり、例えば、ダクト２０ｃからの取り出し等も容易になるから、これによっても切替接続の作業性を向上できる。
【００３１】
次に、本発明の第２実施形態を図面を参照して説明する。
本実施形態は、前記第１実施形態の光配線盤１０の光モジュール収納ユニットの構成を一部変更したものであり、光モジュール収納ユニット以外の構成は第１実施形態の光配線盤１０のものを適用する。図１１〜図１６中、図１〜図１０（ａ）、（ｂ）と同一の構成部分には同一の符号を付し、その説明を簡略化する。図１１は、本実施形態の光配線盤に適用される光モジュール収納ユニット４０を示す正面図、図１２は図１１の光モジュール収納ユニット４０を示す平面図、図１３は前記光モジュール収納ユニット４０を示す側面図である。
図１１〜図１３に示すように、光モジュール収納ユニット４０は、モジュール台２０ａ、両側板２４ａ、２４ｂ、光ファイバ配線棚１４等は、第１実施形態の光配線盤１０と共通であるが、モジュール支持部２３やストッパ２５ａを備えていないこと、モジュール台２０ａの作業空間１３側の側面に沿って延在されたモジュール支持部４１を備えることは、第１実施形態の光モジュール収納ユニット１０ａと異なる。また、この光モジュール収納ユニット４０の上部プレート３０ａは、第１実施形態の上部プレート３０のガイド溝３１と同様に、光モジュール２１の鍔部２１ｂの移動をガイドするガイド溝３１ａを備えている。この光モジュール収納ユニット４０での光ファイバケーブル１１側の光ファイバ１２の成端、光ファイバ５０の作業空間１３への引き込み等は第１実施形態の光配線盤１０のと全く同様に行えるものであり、第１実施形態の光配線盤１０の光モジュール収納ユニット１０ａに代えて設置できるものである。なお、モジュール収納部には、符号４２を付す。
【００３２】
前記モジュール支持部４１は、ダクト２０ｃに沿って延在する支持壁４３の上部に突設されたリブ状の係合片である。前記支持壁４３は、クランプ２０ｄの支持材を兼ねるものであり、その上部には、前記クランプ２０ｄが固定された固定片４４が突設されている。
【００３３】
図１３は光モジュール２１を所定の収納位置に収納した状態、図１４は光モジュール２１を中間位置に支持した状態を示す。なお、前記「所定の収納位置」は、前記第１実施形態にて説明した通り、挿入方向ストッパ２０ｆに光モジュール２１が突き当たった位置であり、「中間位置」は、前記所定の収納位置よりも作業空間１３側にずれており、モジュール収納部４２に収納された光モジュール２１から突設されたラッチ４５を前記モジュール支持部４１である係合片に係合できる位置である。
【００３４】
図１３、図１４において、ラッチ４５は、光コネクタ２２近傍にて光モジュール２１の下部にヒンジ部４５ａを介して回転自在に連結されており、前記ヒンジ部４５ａを中心とする回転により、モジュール台２０ａの作業空間１３側の端部に設けられた係合片２０ｇや前記モジュール支持部４１に対して係脱自在になっている。
図１５は、前記係合片２０ｇに対するラッチ４５の係合状態を示す拡大側面図、図１６は前記モジュール支持部４１に対するラッチ４５の係合状態を示す拡大側面図（図１４の領域Ｂの拡大図）である。
図１５、図１６に示すように、具体的には、前記ラッチ４５は、プラスチック等の合成樹脂製の光モジュール２１と一体成形によりＬ字状に形成され、前記光モジュール２１との間を連結する薄肉部を前記ヒンジ部４５ａとして機能させることで、光モジュール２１に対して回転自在になっている。
【００３５】
図１５に示すように、このラッチ４５は、前記ヒンジ部４５ａに連続する幹部４５ｂと、この幹部４５ｂの前記ヒンジ部４５ａから離間された先端から垂直に延びる係合先端部４５ｃとを備えるＬ字状であり、前記幹部４５ｂからＬ字の内角側に突設された小突起４５ｄを前記モジュール台２０ａの係合片２０ｇの図示しない穴に挿入して位置決めし、さらに、前記係合先端部４５ｃからＬ字の内角側に突設された爪４５ｅを前記係合片２０ｇに係合させることで、係合片２０ｇに位置ずれを生じること無く安定に係合される。これにより、モジュール収納部４２の所定の収納位置に収納された光モジュール２１を、ラッチ４５を介してモジュール台２０ａに安定支持でき、ぐらつき等を生じない安定な収納状態が得られるから、光モジュール２１の振動等が光通信に悪影響を与えることを防止できる。
光ファイバ５０の接続を完了して所定の収納位置に収納した光モジュール２１は、ラッチ４５を係合片２０ｇに係合させ、これらラッチ４５と係合片２０ｇとからなる固定手段で所定の収納位置に固定するので、中間位置への引き出し対象の光モジュール２１を正確に引き出せることは、第１実施形態と同様である。また、引き出す対象の光モジュール２１の引き出しを行っても、固定手段によって固定された光モジュール２１には位置ずれ等の不都合が生じないことも、第１実施形態と同様である。
【００３６】
このラッチ４５は、Ｌ字の外角側に突設されたレバー４５ｆを操作することで回転自在であり、例えば、図１５中、モジュール収納部４２の所定の収納位置に収納された光モジュール２１のラッチ４５を作業空間１３側からの前記レバー４５ｆの手動操作によって待機位置（符号４５の仮想線）から下方へ回転させ、モジュール台２０ａの作業空間１３側の端部に向けて押圧することで、前記モジュール台２０ａの係合片２０ｇに係合させることができる。逆に、前記係合片２０ｇに係合されたラッチ４５を、作業空間１３側からの前記レバー４５ｆの手動操作によって上方へ引き上げるようにすることで、係合片２０ｇとの係合を解除できる。なお、ラッチ４５は、前記待機位置に移動されることで、Ｌ字の外角側に突設された小突起４５ｇが光モジュール２１の保持突起２１ｃと係脱自在に係合し、レバー４５ｆの操作等により強制的に離脱操作を行わない限り待機位置から離脱しないようになるので、この状態では、モジュール収納部２０に対して光モジュール２１を挿入方向、引出方向に移動しても、ラッチ４５がモジュール台２０ａに不用意に接触する等の不都合を生じないため、移動を円滑に行うことができる。
【００３７】
図１４および図１６に示すように、前記ラッチ４５が前記モジュール支持部４１の直上となるように光モジュール２１を配置し（中間位置）、前記ラッチ４５を下方へ回転してモジュール支持部４１である係合片に対して爪４５ｅの係合によって係脱可能に係合すれば、光モジュール２１は、このモジュール支持部４１によってぐらつかないように安定に支持される。「中間位置」は、所定の収納位置よりも作業空間１３側であり、中間位置に配置された光モジュール２１の光コネクタ２２はコネクタ配列領域３２よりも作業空間１３側にずれるので、この光コネクタ２２に対する光ファイバ５０の接続、切替接続、撤去等の作業は、コネクタ配列領域３２近傍に配線された光ファイバ５０と干渉すること無く、効率良く行うことができる。このとき、光モジュール２１は、モジュール台２０ａや上部プレート３０のガイド溝２０ｂ、３１にガイド片２１ａや鍔部２１ｂが挿入されており、しかも、ラッチ４５を介してモジュール支持部４１に安定支持されているため、光コネクタ２２に対する光ファイバ５０の接続、切替接続、撤去等を行っても位置ずれを生じることは無く、作業を効率良く行うことができる。中間位置に配置される光モジュール２１は、作業空間１３側から所定の収納位置への挿入途中の光モジュール２１や、一旦所定の収納位置に収納されてから引き出された光モジュール２１であり、いずれもモジュール支持部４１にラッチ４５を係合して光ファイバ５０の接続、切替接続、撤去等の作業を行った後、所定の収納位置に収納することで、再度、中間位置に引出可能である。
また、前記中間位置は、光モジュール２１の厚さ方向一方または両方の側面に設けられている表示３３が、高密度配線領域３４（図１４参照）よりも作業空間１３側にて露出される位置に設定され、この位置であれば中間位置に配置された光モジュール２１の表示３３を容易に視認でき、表示３３により回線番号等を確認しながら、光ファイバ５０の接続、切替接続、撤去等の作業を正確に行える。
【００３８】
図１７に示す表示４９は、多連の光コネクタ２２の各接続端子に対応して、個別に回線番号を付したものであり、図１７中、回線番号を示す数字が縦に配列されている。この表示４９は、光モジュール２１の引き出し方向に垂直に細長く延在する領域に形成されるから、モジュール収納部２０からの光モジュール２１の引き出し寸法が比較的小さくても、この表示４９を高密度配線領域３４よりも作業空間１３側で露出させることができ、しかも、露出位置では露出面積を充分に確保できるため、大量の情報を効率良く表示できるといった利点がある。
【００３９】
なお、本発明は、前記した実施の形態に限定されず、各種変更が可能である。本発明の適用対象は、光配線盤の光モジュール収納ユニットに限定されず、例えば、光成端箱、光接続箱等、光モジュールを引き出し可能に収納する各種ユニット（これを「光モジュール収納ユニット」と総称している）に適用可能である。また、モジュール支持部としては、前記の実施の形態に限定されず、各種構成が採用可能である。要は、モジュール支持部は、所定の収納位置よりも引出方向側にずれた位置である中間位置にてモジュール収納部に収納された光モジュールを安定支持する構成であれば良く、各種構成が採用可能である。この光モジュール収納ユニットでは、作業対象外の光モジュールの光コネクタや、この光コネクタに作業空間側から接続された光ファイバとの干渉を回避する以外、光モジュール収納ユニット自体に設けられている様々な部品との接触を回避して、作業目的の光モジュールの光コネクタに対する光ファイバの接続、切替接続、撤去等を効率良く行えるといった利点もある。
【００４０】
【発明の効果】
以上説明したように、本発明の光モジュール収納ユニットによれば、所定の収納位置よりも引出方向側にずれた位置にてモジュール収納部に収納された光モジュールをモジュール支持部でモジュール収納部に対する押し込み、引き出しのいずれの方向にも移動しないように安定支持することで、この光モジュールに設けられた光コネクタに対する光ファイバの接続等の作業を、周囲の光ファイバ等との干渉を回避しつつ効率良く行え、作業性を向上できる。特に、光モジュールが複数配列収納されるモジュール収納部では、作業対象の目的の光モジュールの光コネクタを、各光モジュールの光コネクタに接続された光ファイバが高密度に配線された領域を避けた位置に移動し、前記モジュール支持部によって光モジュールを支持することで、前記光コネクタに対する光ファイバの接続等の作業を効率良く行うことができるといった優れた効果を奏する。
【００４２】
請求項３記載の光モジュール収納ユニットによれば、所定の収納位置よりも引出方向側にずれた位置にてモジュール収納部に収納された光モジュールをモジュール支持部で支持した際に、光モジュールの前記モジュール収納部からの引出方向に垂直な両側または片側に存在する側面に備えた表示が視認可能になるため、この表示によって示された光ファイバの種類等の情報を容易に確認することができ、この表示の情報によって、光モジュールの光コネクタに対する光ファイバの接続、切替接続、撤去等の作業を正確に行うことができるといった優れた効果を奏する。
【図面の簡単な説明】
【図１】本発明の１実施形態の光配線盤を示す正面図である。
【図２】図１の光配線盤に搭載される光モジュール収納ユニットを示す正面図である。
【図３】図２の光モジュール収納ユニットを示す平面図である。
【図４】図２の光モジュール収納ユニットを示す側面図である。
【図５】図２の光モジュール収納ユニットのモジュール収納部の所定の収納位置への光モジュールの収納手順を示す図であって、（ａ）はモジュール支持部を上昇回転した状態、（ｂ）は上昇回転を完了したモジュール支持部を作業空間とは逆の方向にスライド移動した状態、（ｃ）は（ｂ）のスライド移動の完了後、モジュール支持部を降下させた状態を示す。
【図６】図５（ｃ）の状態における光モジュール収納ユニット全体を示す側面図である。
【図７】図２の光モジュール収納ユニットのモジュール収納部の所定の収納位置への光モジュールの収納後、モジュール支持部をセットする手順を示す図であって、（ａ）は図５（ｃ）の状態のモジュール支持部を上昇回転した状態、（ｂ）は（ａ）の完了後、モジュール支持部を作業空間側へスライド移動した状態、（ｃ）は（ｂ）のスライド移動の完了後、モジュール支持部を降下させた状態を示す。
【図８】モジュール収納部の所定の収納位置から中間位置側に引き出した光モジュールによって、モジュール支持部を押し上げた状態を示す側面図である。
【図９】モジュール収納部の所定の収納位置から中間位置に引き出した光モジュールの鍔部を、モジュール支持部のストッパ部材のスリットに収納した状態を示す側面図である。
【図１０】図９の鍔部およびスリットの近傍を示す図であって、（ａ）は拡大側面図、（ｂ）は拡大平面図である。
【図１１】本実施形態の第２実施形態の光配線盤に適用される光モジュール収納ユニットを示す正面図である。
【図１２】図１１の光モジュール収納ユニットを示す平面図である。
【図１３】図１１の光モジュール収納ユニットを示す側面図である。
【図１４】中間位置に配置した光モジュールから突設されているラッチを、モジュール支持部である係合片に係合させた状態を示す側面図である。
【図１５】図１１の光モジュール収納ユニットのモジュール収納部の所定の収納位置に収納された光モジュールから突設されているラッチを、モジュール台の係合片に係合させた状態を示す側面図である。
【図１６】図１４の領域Ｂを示す拡大側面図である。
【図１７】光モジュールに設けられる表示の他の例を示す側面図である。
【図１８】従来例のモジュール収納部が適用された光配線盤を示す図であって、（ａ）は前記モジュール収納部近傍を示す正面図、（ｂ）は側断面図である。
【符号の説明】
１０ａ…光モジュール収納ユニット、１２…光ファイバ、１６，１７，５０…光ファイバ、２０…モジュール収納部、２０ａ…モジュール台、２０ｇ…固定手段（係合片）、２１…光モジュール、２１ｂ…鍔部、２２…光コネクタ、２３…モジュール支持部、３３，４９…表示、４０…光モジュール収納ユニット、４１…モジュール支持部、４２…モジュール収納部、４５…固定手段（ラッチ）。
【図１】
0003542939.tif 000002
【図２】
0003542939.tif 000003
【図３】
0003542939.tif 000004
【図４】
0003542939.tif 000005
【図５】
0003542939.tif 000006
【図６】
0003542939.tif 000007
【図７】
0003542939.tif 000008
【図８】
0003542939.tif 000009
【図９】
0003542939.tif 000010
【図１０】
0003542939.tif 000011
【図１１】
0003542939.tif 000012
【図１２】
0003542939.tif 000013
【図１３】
0003542939.tif 000014
【図１４】
0003542939.tif 000015
【図１５】
0003542939.tif 000016
【図１６】
0003542939.tif 000017
【図１７】
0003542939.tif 000018
【図１８】
0003542939.tif 000019